(57)【要約】【課題】搬送時の取り扱いが容易であって、且つ、ユーザによる組立作業の際の取り扱いも容易であるような分割床板キットを提供すること。【解決手段】本発明は、ヘッド側分割床板と、フット側分割床板と、左側連結材と、右側連結材と、を備えた分割床板キットである。ヘッド側分割床板の底面側に、左側連結用ヘッド側鉄板部と、右側連結用ヘッド側鉄板部と、が設けられ、フット側分割床板の底面側に、左側連結用フット側鉄板部と、右側連結用フット側鉄板部と、左側固定用鉄板部と、右側固定用鉄板部と、が設けられている。各分割床板は、平面視で一辺が１２５ｃｍ以内の長方形部材として構成されている。各連結材は、各分割床板の辺のうちで最長の辺の長さ以下の長さである。【選択図】図１
2018201830.tif 000002
【特許請求の範囲】
【請求項１】
ヘッド側分割床板と、
フット側分割床板と、
前記ヘッド側分割床板の左側部と前記フット側分割床板の左側部とを連結するための左側連結材と、
前記ヘッド側分割床板の右側部と前記フット側分割床板の右側部とを連結するための右側連結材と、
を備え、
前記ヘッド側分割床板の底面側には、前記左側連結材と当接し当該左側連結材を固定するための左側連結用ヘッド側鉄板部と、前記右側連結材と当接し当該右側連結材を固定するための右側連結用ヘッド側鉄板部と、が設けられており、
前記フット側分割床板の底面側には、前記左側連結材と当接し当該左側連結材を固定するための左側連結用フット側鉄板部と、前記右側連結材と当接し当該右側連結材を固定するための右側連結用フット側鉄板部と、が設けられており、
前記フット側分割床板の底面側には、跳ね上げ式ベッドの左側跳ね上げ機構の左側固定部材と当接し当該左側固定部材を固定するための左側固定用鉄板部と、前記跳ね上げ式ベッドの右側跳ね上げ機構の右側固定部材と当接し当該右側固定部材を固定するための右側固定用鉄板部と、が設けられており、
前記フット側分割床板及び前記ヘッド側分割床板の各々は、平面視で一辺が１２５ｃｍ以内の長方形部材として構成されており、
前記左側連結材及び前記右側連結材の各々は、前記フット側分割床板及び前記ヘッド側分割床板の辺のうちで最長の辺の長さ以下の長さである
ことを特徴とする分割床板キット。
【請求項２】
前記ヘッド側分割床板及び前記フット側分割床板は、それぞれ、簀の子状の内部構造を布地で覆って構成されている
ことを特徴とする請求項１に記載の分割床板キット。
【請求項３】
前記ヘッド側分割床板及び前記フット側分割床板は、それぞれ、２６ｋｇ以下の重量に抑えられている
ことを特徴とする請求項２に記載の分割床板キット。
【請求項４】
前記フット側分割床板及び前記ヘッド側分割床板の各々は、平面視で一辺が１００ｃｍ以内の長方形部材として構成されており、
前記ヘッド側分割床板及び前記フット側分割床板は、それぞれ、２１ｋｇ以下の重量に抑えられている
ことを特徴とする請求項２に記載の分割床板キット。
【請求項５】
ヘッド側分割床板と、
フット側分割床板と、
前記ヘッド側分割床板の左側部と前記フット側分割床板の左側部とを連結するための左側連結材と、
前記ヘッド側分割床板の右側部と前記フット側分割床板の右側部とを連結するための右側連結材と、
を備え、
前記ヘッド側分割床板の底面側には、前記左側連結材と当接し当該左側連結材を固定するための左側連結用ヘッド側鉄板部と、前記右側連結材と当接し当該右側連結材を固定するための右側連結用ヘッド側鉄板部と、が設けられており、
前記フット側分割床板の底面側には、前記左側連結材と当接し当該左側連結材を固定するための左側連結用フット側鉄板部と、前記右側連結材と当接し当該右側連結材を固定するための右側連結用フット側鉄板部と、が設けられており、
前記フット側分割床板の底面側には、跳ね上げ式ベッドの左側跳ね上げ機構の左側固定部材と当接し当該左側固定部材を固定するための左側固定用鉄板部と、前記跳ね上げ式ベッドの右側跳ね上げ機構の右側固定部材と当接し当該右側固定部材を固定するための右側固定用鉄板部と、が設けられており、
前記フット側分割床板及び前記ヘッド側分割床板の各々は、平面視で一辺が１４５ｃｍ以内の長方形部材として構成されており、
前記左側連結材及び前記右側連結材の各々は、前記フット側分割床板及び前記ヘッド側分割床板の辺のうちで最長の辺の長さ以下の長さである
ことを特徴とする分割床板キット。
【発明の詳細な説明】
【技術分野】
【０００１】
本発明は、跳ね上げ式ベッドの左側跳ね上げ機構の左側固定部材及び右側跳ね上げ機構の右側固定部材に固定可能な床板であって、組み立て前はヘッド側分割床板とフット側分割床板とに分割された床板を含む分割床板キットに関する。
【背景技術】
【０００２】
従来より、分割床板を採用した種々のヘッドが開発されている。例えば、特許文献１は、分割床板を採用した跳ね上げ式ベッドを提案している。
【先行技術文献】
【特許文献】
【０００３】
【特許文献１】特許第５７７８４５４
【発明の概要】
【発明が解決しようとする課題】
【０００４】
特許文献１のベッド装置では、基体（フレーム）と床板とを連結するリンク機構部材のうち床板に固定される床板側リンク部材が、複数枚の分割床板にわたって延びるようになっている。従って、床板側リンク部材は、分割床板１枚分の長さよりも長くなっている。そして、そのように長い床板側リンク部材を採用することによって、分割床板同士を強固に固定することができる。
【０００５】
しかしながら、本件発明者は、そのように長い床板側リンク部材について、次のような問題点を知見するに至った。すなわち、本件発明者によれば、そのように長い床板側リンク部材は、搬送時の取り扱いが極めて面倒であり、また、ユーザによる組立作業の際においても、やはり取り扱いが極めて面倒である。
【０００６】
本発明は、以上の知見に基づいて創案されたものである。本発明の目的は、跳ね上げ式ベッドの左側跳ね上げ機構の左側固定部材及び右側跳ね上げ機構の右側固定部材に固定可能な床板であって、組み立て前はヘッド側分割床板とフット側分割床板とに分割された床板を含む分割床板キットであって、搬送時の取り扱いが容易であって、且つ、ユーザによる組立作業の際の取り扱いも容易であるような分割床板キットを提供することである。
【課題を解決するための手段】
【０００７】
本発明は、ヘッド側分割床板と、フット側分割床板と、前記ヘッド側分割床板の左側部と前記フット側分割床板の左側部とを連結するための左側連結材と、前記ヘッド側分割床板の右側部と前記フット側分割床板の右側部とを連結するための右側連結材と、を備え、前記ヘッド側分割床板の底面側には、前記左側連結材と当接し当該左側連結材を固定するための左側連結用ヘッド側鉄板部と、前記右側連結材と当接し当該右側連結材を固定するための右側連結用ヘッド側鉄板部と、が設けられており、前記フット側分割床板の底面側には、前記左側連結材と当接し当該左側連結材を固定するための左側連結用フット側鉄板部と、前記右側連結材と当接し当該右側連結材を固定するための右側連結用フット側鉄板部と、が設けられており、前記フット側分割床板の底面側には、跳ね上げ式ベッドの左側跳ね上げ機構の左側固定部材と当接し当該左側固定部材を固定するための左側固定用鉄板部と、前記跳ね上げ式ベッドの右側跳ね上げ機構の右側固定部材と当接し当該右側固定部材を固定するための右側固定用鉄板部と、が設けられており、前記フット側分割床板及び前記ヘッド側分割床板の各々は、平面視で一辺が１２５ｃｍ以内の長方形部材として構成されており、前記左側連結材及び前記右側連結材の各々は、前記フット側分割床板及び前記ヘッド側分割床板の辺のうちで最長の辺の長さ以下の長さであることを特徴とする分割床板キットである。
【０００８】
本発明によれば、分割床板の底面側であって各連結材ないし各固定部材の固定位置に対応する箇所に鉄板部を設け、当該鉄板部と各連結材ないし各固定部材とが当接するように両者が固定されるため、十分な固定力が得られる。従って、各連結材ないし各固定部材の長さが短くても、分割床板の固定力に問題が生じない。そして、各固定部材が、平面視での分割床板の辺のうちで最長の辺の長さ以下の長さであることにより、搬送時の取り扱いが容易であり、且つ、ユーザによる組立作業の際の取り扱いも容易である。
【０００９】
本発明において、前記ヘッド側分割床板及び前記フット側分割床板は、それぞれ、簀の子状の内部構造を布地で覆って構成されていることが好ましい。このような形態が採用される場合、湿気を逃がす効果に優れる。この効果は、分割床板の下方空間を収納空間として利用する場合に好適であり。また、分割床板上に布団を敷いて利用する場合にも好適である。
【００１０】
また、簀の子状の内部構造を採用することによって、各分割床板の軽量化を図ることもできる。例えば、セミダブルベッドサイズのために幅を１２０ｃｍ程度とした場合でも（長さは例えば９５．５ｃｍ）、重量を２６ｋｇ以下に抑えることが可能である。従来の通常のシングルサイズの床板は、約３０ｋｇ程度であるから、これは大幅は軽量化であると言える。ダブルベッドサイズに対応するためには、幅を１４０ｃｍ程度とすればよく、この場合にも大幅な軽量化ができる。この場合には、各分割床板は、平面視で一辺が１４５ｃｍ以内の長方形部材として構成されることになる。
【００１１】
シングルベッドサイズのために幅を８５ｃｍ程度あるいは１００ｃｍ程度とした場合には（長さは例えば９５．５ｃｍ）、それぞれ重量を２０ｋｇ程度あるいは２１ｋｇ程度にまで抑えることが可能である。
【発明の効果】
【００１２】
本発明によれば、分割床板の底面側であって各連結材ないし各固定部材との固定位置に対応する箇所に鉄板部を設け、当該鉄板部と各連結材ないし各固定部材とが当接するように両者が固定されるため、十分な固定力が得られる。従って、各連結材ないし各固定部材の長さが少々短くても、分割床板の固定力に問題が生じない。そして、各連結材が、平面視での分割床板の辺のうちで最長の辺の長さ以下の長さであることにより、搬送時の取り扱いが容易であり、且つ、ユーザによる組立作業の際の取り扱いも容易である。
【図面の簡単な説明】
【００１３】
【図１】本発明の一実施形態に係る分割床板キットを跳ね上げ式ベッドに組み付けている様子を示す概略斜視図である。
【図２】分割床板の底面の一例を示す概略斜視図である。
【図３】連結材に対する当接及び固定のための鉄板部の一例を示す概略平面図である。
【図４】固定部材に対する当接及び固定のための鉄板部の一例を示す概略平面図である。
【図５】連結材と補助連結材との一例を示す概略斜視図である。
【図６】シングルサイズ用の分割床板の簀の子状の内部構造の一例を示す概略斜視図である。
【図７】セミダブルサイズ用の分割床板の簀の子状の内部構造の一例を示す概略斜視図である。
【発明を実施するための形態】
【００１４】
以下、図面を参照して本発明の実施の形態について説明する。  
【００１５】
図１は、本発明の一実施形態に係る分割床板キットを跳ね上げ式ベッド３０に組み付けている様子を示す概略斜視図である。図１に示すように、本実施形態の分割床板キットは、ヘッド側分割床板１１と、フット側分割床板１２と、ヘッド側分割床板１１の左側部とフット側分割床板１２の左側部とを連結するための左側連結材１３と、ヘッド側分割床板１１の右側部とフット側分割床板１２の右側部とを連結するための右側連結材１４と、を備えている。
【００１６】
左側連結材１３も右側連結材１４も、ヘッド側分割床板１１及びフット側分割床板１２の底面側を掛け渡すように固定されている。また、本実施形態では、左右方向の中間部においてヘッド側分割床板１１及びフット側分割床板１２の底面側を掛け渡すように、補助連結材１５も設けられている。
【００１７】
一方、分割床板キットが組み付けられる跳ね上げ式ベッド３０は、基体（フレーム）３１と、基体３１に取り付けられた左側跳ね上げ機構４０及び右側跳ね上げ機構５０と、を備えている。
【００１８】
左側跳ね上げ機構４０は、基体３１に固定された基体左側リンク部材４１と、ヘッド側分割床板１１に組み付けられる床板左側リンク部材４２と、連結用リンク部材４３、４４と、からなるリンク機構を有している。また、本実施形態では、床板左側リンク部材４２を補強するように左側固定部材４５が一体的に設けられている。そして、当該左側固定部材４５と基体３１との間に、跳ね上げのためのガスシリンダ４６が設けられている。
【００１９】
右側跳ね上げ機構５０についても同様に、基体３１に固定された基体右側リンク部材５１と、ヘッド側分割床板１１に組み付けられる床板右側リンク部材５２と、連結用リンク部材５３、５４と、からなるリンク機構を有している。本実施形態では、床板右側リンク部材５２を補強するように右側固定部材５５が一体的に設けられており、当該右側固定部材５５と基体３１との間に、跳ね上げのためのガスシリンダ５６が設けられている。
【００２０】
より詳細に説明すると、図２は、分割床板１１、１２の底面の一例を示す概略斜視図であり、図３は、連結材１３、１４に対する当接及び固定のための鉄板部２１〜２４の一例を示す概略平面図であり、図４は、固定部材４５、５５に対する当接及び固定のための鉄板部２５、２６の一例を示す概略平面図である。
【００２１】
図２及び図３に示すように、ヘッド側分割床板１１の底面側には、左側連結材１３と当接し当該左側連結材１３を固定するための左側連結用ヘッド側鉄板部２１と、右側連結材１４と当接し当該右側連結材１４を固定するための右側連結用ヘッド側鉄板部２２と、が設けられている。
【００２２】
また、図２及び図３に示すように、フット側分割床板１２の底面側には、左側連結材１３と当接し当該左側連結材１３を固定するための左側連結用フット側鉄板部２３と、右側連結材１４と当接し当該右側連結材１４を固定するための右側連結用フット側鉄板部２４と、が設けられている。
【００２３】
また、図２及び図４に示すように、フット側分割床板１２の底面側には、跳ね上げ式ベッド３０の左側固定部材４５と当接し当該左側固定部材４５を固定するための左側固定用鉄板部２５と、跳ね上げ式ベッド３０の右側固定部材５５と当接し当該右側固定部材５５を固定するための右側固定用鉄板部２６と、が設けられている。
【００２４】
図５は、左右の連結材１３、１４と補助連結材１５との一例を示す概略斜視図である。図５に示すように、左右の連結材１３、１４としては、強度上の問題から、断面Ｌ字型の部材が採用されることが好ましく、本実施形態での長さは約８０ｃｍである。一方、補助連結材１５としては、平板状の部材が採用されることが好ましく、本実施形態での長さは約１８ｃｍである。左右の連結材１３、１４は、好適なタイプのネジ部材等によって対応する鉄板部２１〜２４に固定される。補助連結材１５も、好適なタイプのネジ部材等によって、分割床板１１、１２の底面に固定される。
【００２５】
以上に説明したように、本実施形態の分割床板キットによれば、分割床板１１、１２の底面側であって各連結材１３、１４ないし各固定部材４５、５５の固定位置に対応する箇所に鉄板部２１〜２６が設けられており、当該鉄板部２１〜２６と各連結材１３、１４ないし各固定部材４５、５５とが当接するように両者が固定されるようになっている。従って、それらが固定された時、十分な固定力が得られる。
【００２６】
従って、本実施形態の分割床板キットによれば、各連結材１３、１４ないし各固定部材４５、５５の長さが少々短くても、分割床板１１、１２の固定力に問題が生じない。
【００２７】
そして、各連結材１３、１４が、平面視での分割床板１１、１２の辺のうちで最長の辺の長さ以下の長さであることにより、搬送時の取り扱いが容易であり、且つ、ユーザによる組立作業の際の取り扱いも容易である。
【００２８】
なお、以上の実施形態において、ヘッド側分割床板１１及びフット側分割床板１２は、それぞれ、簀の子状の内部構造を布地で覆って構成されていることが好ましい。このような形態が採用される場合、湿気を逃がす効果に優れる。この効果は、分割床板１１、１２の下方空間を収納空間として利用する場合に好適であり。また、分割床板１１、１２上に布団を敷いて利用する場合にも好適である。
【００２９】
図６は、実際のシングルサイズ用の分割床板１１、１２の簀の子状の内部構造の一例を示す概略斜視図である。この場合の各分割床板１１、１２のサイズは互いに同一で、幅８１ｃｍ、長さ９７．５ｄｍ、高さ５ｃｍであり、横桟の数（枠を除く）は７本となっている。この場合の重量は、布地による被覆をして搬送用に梱包した状態で、１９．７ｋｇであった。
【００３０】
また、図６の例において、幅を９６ｃｍに変更した場合の重量は、同様に布地による被覆をして搬送用に梱包した状態で、２１．０ｋｇであった。
【００３１】
図７は、実際のセミダブルサイズ用の分割床板１１、１２の簀の子状の内部構造の一例を示す概略斜視図である。この場合の各分割床板１１、１２のサイズは互いに同一で、幅１１８ｃｍ、長さ９７．５ｄｍ、高さ５ｃｍであり、横桟の数（枠を除く）は７本となっている。この場合の重量は、同様に布地による被覆をして搬送用に梱包した状態で、２５．６ｋｇであった。
【符号の説明】
【００３２】
１１  ヘッド側分割床板
１２  フット側分割床板
１３  左側連結材
１４  右側連結材
１５  補助連結材
２１  左側連結用ヘッド側鉄板部
２２  右側連結用ヘッド側鉄板部
２３  左側連結用フット側鉄板部
２４  右側連結用フット側鉄板部
２５  左側固定用鉄板部
２６  右側固定用鉄板部
３０  跳ね上げ式ベッド
４０  左側跳ね上げ機構
４１  基体左側リンク機構
４２  床板左側リンク部材
４３  連結リンク部材
４４  連結リンク部材
４５  左側固定部材
４６  ガスシリンダ
５０  左側跳ね上げ機構
５１  基体右側リンク機構
５２  床板右側リンク部材
５３  連結リンク部材
５４  連結リンク部材
５５  右側固定部材
５６  ガスシリンダ
【図１】
2018201830.tif 000003
【図２】
2018201830.tif 000004
【図３】
2018201830.tif 000005
【図４】
2018201830.tif 000006
【図５】
2018201830.tif 000007
【図６】
2018201830.tif 000008
【図７】
2018201830.tif 000009